(57)【要約】【課題】電池交換不要のリモコン送信器を備えたリモコン装置付きカメラを提供する。【解決手段】リモコン送信器３０の発光回路は、赤外光を発光する発光素子３４と、電気二重層コンデンサ３５と、スイッチ３７とから構成されている。発光素子３４の一対のリード部は、電気二重層コンデンサ３５の両極に接続されており、この正極側と発光素子３４の間には、スイッチ３７が接続されている。さらに、電気二重層コンデンサ３５の両極は、受電端子３１ａ，３１ｂに接続されており、リモコン送信器３０がカメラ本体１１に装着された時に、電源供給端子２６ａ，２６ｂと受電端子３１ａ，３１ｂが導通して蓄電される。また、スイッチ３７がＯＮにされた時に、電気二重層コンデンサ３５が電源となり、電流が発光素子３４に供給されて、赤外光が発光される。【選択図】　　　　図４
2004069913.tif 000002
【特許請求の範囲】
【請求項１】
カメラ本体の着脱部に着脱可能なリモコン送信器と、このリモコン送信器からの信号を受信する受信部とを有するリモコン装置付きカメラにおいて、
前記リモコン送信器は、前記着脱部に装着された時に前記カメラ本体から供給される電気を受電するための受電端子と、受電した電気を蓄える蓄電手段とを備えており、この蓄電手段を電源として動作することを特徴とするリモコン装置付きカメラ。
【請求項２】
前記着脱部には、前記カメラ本体に設けられる三脚取り付け用のねじ穴が配置されており、前記リモコン送信器は、それが前記着脱部に装着された時に、前記ねじ穴を覆い、カメラ本体の一部を構成することを特徴とする請求項１記載のリモコン装置付きカメラ。
【請求項３】
前記蓄電手段は、電気二重層コンデンサであることを特徴とする請求項１または請求項２記載のリモコン装置付きカメラ。
【請求項４】
カメラ本体の着脱部に着脱可能なリモコン送信器と、このリモコン送信器からの信号を受信する受信部とを有するリモコン装置付きカメラにおいて、
前記リモコン送信器は、カメラ本体に設けられる三脚取り付け用のねじ穴に、適合する取付形状を有することを特徴とするリモコン装置付きカメラ。
【発明の詳細な説明】
【０００１】
【発明の属する技術分野】
本発明は、カメラを遠隔操作して撮影するためのリモコン送信器を備えたリモコン装置付きカメラに関する。
【０００２】
【従来の技術】
現在市販されているカメラには、カメラ本体を三脚などに設置した状態で、撮影者自身も被写体として撮影することを可能にするセルフタイマー機能やリモコン装置など、撮影者に便利な機能が付加されている。リモコン装置は、カメラ本体を遠隔操作するために、赤外光などを発光してカメラ本体に操作信号を送信するリモコン送信器と、カメラ本体に設けられ、リモコン送信器からの信号を受信する受信部とからなる。リモコン送信器の電源には、例えば、ボタン電池などの小型なものが使用される。
【０００３】
特開２００１−７５１６６号公報には、カメラ本体にリモコン送信器を装着する着脱部を設けたリモコン装置付きカメラが記載されている。リモコン送信器は、不使用時には、前記着脱部に装着されるとともに、カメラ本体外面の一部を構成する。これによれば、不使用時にリモコン送信器をカメラ本体に装着することができるので、リモコン送信器を紛失する心配がない。また、着脱部内に受信部が配置されており、リモコン送信器を装着した時には受信部が覆われるようにしている。このため、他のリモコン送信器からの信号による誤動作を防止することができる。
【０００４】
【発明が解決しようとする課題】
しかしながら、上述のカメラでは、リモコン送信器の電源として電池を使用しているため、不意の電池切れの際には、予備の電池がない限り、リモコン送信器を使用することができない。また、ボタン電池等の特殊な電池は価格が高いので、ユーザーの経済的な負担が大きい。
【０００５】
本発明は、上記問題点を解決するためになされたものであり、電池交換が不要なリモコン送信器を備えたリモコン装置付きカメラを提供することを目的とする。
【０００６】
【課題を解決するための手段】
上記目的を達成するために、本発明のリモコン装置付きカメラは、リモコン送信器がカメラ本体の着脱部に着脱可能であり、着脱部に装着された時にカメラ本体から供給される電気を受電するための受電端子と、受電した電気を蓄える蓄電手段とを備えており、この蓄電手段を電源として動作することを特徴とするものである。
【０００７】
この着脱部には、カメラ本体に設けられる三脚取り付け用のねじ穴が配置されており、リモコン送信器が着脱部に装着された時に、このねじ穴を覆い、カメラ本体の一部を構成することを特徴とするものである。また、前記蓄電手段は、電気二重層コンデンサであることを特徴とするものである。さらに、このリモコン送信器は、カメラ本体に設けられる三脚取り付け用のねじ穴に、適合する取付形状を有することを特徴とするものである。
【０００８】
【発明の実施の形態】
図１は、本発明を実施したリモコン装置付きデジタルカメラの外観斜視図である。デジタルカメラ１０は、そのカメラ本体１１の前面に、撮影レンズ１２、被写体に向けてストロボ光を照射するストロボ発光部１３、ファインダを構成する対物側ファインダ窓１４、ストロボ回路を外部からオンにするためのストロボスイッチ１５、リモコン送信器からの赤外光を受光する受光素子が内部に組み込まれたリモコン受光窓１６、及び内部にＬＥＤが組み込まれ、ＬＥＤの点灯や点滅によりリモコン撮影モードであることが外部から視認されるＬＥＤ視認窓１７が設けられている。背面には、ファインダを構成する接眼側ファインダ窓１８、電子ビューファインダとして機能するＬＣＤ表示パネル１９、複数のボタンで構成される操作パネル２０が設けられている。そして、カメラ本体１１の上面には撮影スイッチ２１が設けられており、側面には、パソコン等の外部機器に画像データ等を送信するための通信用コネクタ２２が設けられている。カバー２３は、通信用コネクタ２２をその不使用時に覆うためのカバーである。
【０００９】
また、カメラ本体１１の下面には、その下面の一部を構成するリモコン送信器３０を装着する着脱部２５が設けられている。このリモコン送信器３０は、不使用時や通常の撮影の場合には、着脱部２５に装着され、リモコン撮影をする場合には、着脱部２５から取り外される。このため、紛失の心配が少ない。また、この着脱部２５の上面には、三脚取付用のねじ穴２６が設けられており、リモコン送信器３０が着脱部２５に装着された際に覆われる。
【００１０】
図２に示すように、このリモコン送信器３０は、その上面に円柱状の突起３０ａが設けられており、リモコン送信器３０が着脱部２５に装着された時に、ねじ穴２６に挿入される。また、この突起３０ａの上面には、受電用の一対の端子穴３１が形成されており、図３に示すように、突起３０ａがねじ穴２６に挿入された時に、一対の端子穴３１と、ねじ穴２６の上面に設けられた電源供給端子２６ａ，２６ｂとが係合する。
【００１１】
この電源供給端子２６ａ，２６ｂは、ねじ穴２６の上面ではなく、着脱部２５の上面に設けても良い。この場合、突起３０ａを設けずに一対の端子穴３１をリモコン送信器３０の上面に設ける。
【００１２】
さらに、図２に示すように、リモコン送信器３０の上面には、撮影者により押圧される撮影ボタン３２が、リモコン送信器３０の上面よりも下方に埋め込まれるように設けられている。この撮影ボタン３２は、配置した面よりも突出しても良い。その場合には、撮影ボタン３２に対応する凹部を着脱部２５側に設けておく。これにより、リモコン送信器３０が着脱部２５に装着された時に、着脱部２５に接触して誤操作される心配がない。また、リモコン送信器３０の側面には、赤外光を発光する発光素子３４を外部に露出するための開口窓３３が設けられている。
【００１３】
図４は、リモコン送信器３０の内部構成を示すブロック図である。リモコン送信器３０の発光回路は、赤外光を発光する発光素子３４と、蓄電手段である電気二重層コンデンサ３５と、スイッチ３７とから構成されている。発光素子３４の一対のリード部は、電気二重層コンデンサ３５の両極に接続される。この電気二重層コンデンサ３５は、スーパーキャパシタという名前で一般に知られており、、小型の電子機器におけるμＡオーダーの微小電流負荷の長時間バックアップに最適な蓄電素子である。また、この電気二重層コンデンサ３５は、体積当たりの静電容量が、一般のコンデンサと比較して１０００倍以上であり、リモコン送信器３０の小型化に非常に有効である。
【００１４】
この電気二重層コンデンサ３５の正極側と発光素子３４の間には、スイッチ３７が設けられており、撮影ボタン３２が押圧されたときにＯＮにされる。この時、蓄電された電気二重層コンデンサ３５が電源となり、発光素子３４に電流が流れて赤外光が発光される。
【００１５】
この電気二重層コンデンサ３５の正極側と負極側は、前述した一対の端子穴３１に設けられた受電端子３１ａ，３１ｂと接続されており、リモコン装置３０が着脱部２５に装着された時に、ねじ穴２６に設けられた電源供給端子２６ａ，２６ｂと受電端子３１ａ，３１ｂが接触して導通することにより蓄電される。
【００１６】
さらに、この正極側と受電端子３１ａの間には、整流ダイオード３８が設けられており、蓄電された電気二重層コンデンサ３５から電流が逆流して、誤放電することを防止する。
【００１７】
次に、上述したデジタルカメラ１０の作用について説明を行う。通常の撮影の場合、撮影者はリモコン送信器３０をカメラ本体１１の下面に設けられた着脱部２５に装着したまま撮影を行う。この間、リモコン送信器３０は、カメラ本体１１から電源の供給を受けて蓄電される。
【００１８】
リモコン撮影を行う場合、撮影者は、カメラ本体１１からリモコン送信器３０を取り外す。三脚を使用する場合には、露出したねじ穴２６を利用して三脚を取付ける。このリモコン送信器３０の取り外しにより、カメラ本体１１はリモコン撮影モードとなり、ＬＥＤの点灯や点滅等によりＬＥＤ視認窓１７を介して撮影者に知らされる。撮影者が、送信器３０を使用して、遠隔位置から撮影スイッチ３２を押圧すると、発光素子３４から赤外光が発光される。リモコン受光窓１６を介して受光素子が前記赤外光を受光して撮影が実行される。この時、撮影終了がＬＥＤの点灯や点滅等によりＬＥＤ視認窓１７を介して撮影者に知らされる。
【００１９】
リモコン送信器３０は、デジタルカメラ１０の不使用時や、通常撮影の場合など、着脱部２５に装着されている状態ではカメラ本体１１からの給電により、充電されているので、電池を使用する場合と異なり、電池切れの心配がない。また、リモコン撮影を数回行うと、蓄電された電気を使い切ってしまうが、着脱部に取付ければ、充電が開始されるので、すぐに使用可能な状態に戻すことができる。
【００２０】
このリモコン送信器３０は、不使用時には着脱部２５に装着され、カメラ本体１１の下面の一部を構成しているので、デジタルカメラ１０の外観のデザインを損なうことがない。また、装着された時に三脚取付用のねじ穴２６を隠すことができる。通常、この三脚取付用のねじ穴２６は、リモコン送信器３０により塞がれているが、三脚使用時はリモコン送信器を使用するので、不便を感じることなく着脱を行うことができる。
【００２１】
なお、上記実施形態においては、蓄電手段として電気二重層コンデンサを用いたが、これに限るものではなく、他の蓄電素子や充電式の電池を用いても良い。
【００２２】
また、上記実施形態においては、リモコン送信器の着脱部をカメラ本体の下面に設けたが、これに限定されるものではなく、カメラ本体の前面、背面、上面、側面の何処に設けても本発明は適用可能であり、例えば、カメラ本体の上面に着脱部を設けて、撮影スイッチとリモコン送信器の撮影ボタンとを共用にしても良い。
【００２３】
さらに、上記実施形態においては、デジタルカメラを用いて説明を行ったが、これに限定されるものではなく、フイルムを使用する通常のスチルカメラや、ビデオカメラ等にも適用可能である。
【００２４】
【発明の効果】
以上のように、本発明のリモコン装置付きカメラによれば、リモコン送信器はカメラ本体に着脱自在に設けられており、このリモコン送信器にカメラ本体からの給電により電気を蓄える蓄電手段を設け、この蓄電手段を電源としてリモコン送信器が動作するようにしたから、リモコン送信器の電池切れの心配がなく、電池の交換も不要である。このため、ユーザーの経済的な負担も少ない。
【図面の簡単な説明】
【図１】本発明を実施したデジタルカメラの外観斜視図である。
【図２】リモコン送信器の外観斜視図である。
【図３】リモコン送信器の側面断面図である。
【図４】リモコン送信器の内部構成を示すブロック図である。
【符号の説明】
１０　デジタルカメラ
１１　カメラ本体
１６　リモコン受光窓
２５　着脱部
２６　ねじ穴
２６ａ，２６ｂ　電源供給端子
３０　リモコン送信器
３０ａ　突起
３１　端子穴
３１ａ，３１ｂ　受電端子
３２　撮影ボタン
３４　発光素子
３５　電気二重層コンデンサ
３７　スイッチ
【図１】
2004069913.tif 000003
【図２】
2004069913.tif 000004
【図３】
2004069913.tif 000005
【図４】
2004069913.tif 000006